(57)【要約】【課題】電気的に機能する部分及びそれ以外の部分を含めてより確実な防滴が図れ、構造も簡素な回転つまみを有する電子部品の防滴構造を提供する。【解決手段】回転つまみ３０の一部を突出してなる本体ケース１０と、本体ケース１０の回転つまみ３０を突出している部分を覆い且つ回転つまみ３０を挿入する開口部７１を有するゴム状防滴板６０と、ゴム状防滴板６０を覆うように取り付けられ且つ回転つまみ３０を露出する露出口１０５を有する外ケース１００とを具備する。ゴム状防滴板６０の開口部７１の周囲の部分を回転つまみ３０の本体ケース１０から突出している部分に接触させることで、本体ケース１０から回転つまみ３０が突出している部分に生じている隙間を防滴する【選択図】図２
2011134573.tif 000002
【特許請求の範囲】
【請求項１】
本体ケースに設けた開口から、前記本体ケース内の電子部品を操作する回転つまみの一部を突出させてなる電子部品において、
前記本体ケースの前記回転つまみを突出している部分を覆い且つ回転つまみを挿入する開口部を有するゴム状防滴板と、
前記ゴム状防滴板を覆うように取り付けられ且つ回転つまみを露出する露出口を有する外ケースと、を具備し、
前記ゴム状防滴板の開口部の周囲の部分を回転つまみの本体ケースから突出している部分に接触させることで、本体ケースの開口と回転つまみ間の隙間を防滴することを特徴とする電子部品の防滴構造。
【請求項２】
請求項１に記載の電子部品の防滴構造であって、
前記本体ケースの開口の周囲に、前記ゴム状防滴板の開口部の周囲の部分をその裏面側から複数個所で支えて開口部を所定位置に保持する防滴板支持部を設けたことを特徴とする電子部品の防滴構造。
【請求項３】
請求項２に記載の電子部品の防滴構造であって、
前記ゴム状防滴板の開口部の周囲の部分の内の前記回転つまみの外周操作面に接触させる部分は、開口部の内周先端辺よりも離れたゴム状防滴板裏面の前記外周操作面に対向する部分であることを特徴とする電子部品の防滴構造。
【請求項４】
請求項１乃至３の内の何れかに記載の電子部品の防滴構造であって、
前記本体ケースの開口の上または下の部分に回転つまみの突出方向に向けて突出するように傾斜する傾斜面を設け、この傾斜面に前記ゴム状防滴板の開口部の周囲の部分を当接させて傾斜させ開口部の内周先端辺またはその近傍部分を前記回転つまみの側面に設けた当接部に当接させることを特徴とする電子部品の防滴構造。
【発明の詳細な説明】
【技術分野】
【０００１】
本発明は、回転つまみを有する電子部品の防滴構造に関するものである。
【背景技術】
【０００２】
従来、回転式電子部品の中には、例えば特許文献１の図２に示すように、回転式電子部品（１）の回転つまみ（回転体）（１１０）の外周部分の一部を外装ケース（１６０）に設けた開口（１６１）から外部に露出し、回転つまみ（１１０）の前記開口（１６１）から露出した部分を指などで操作することで回転つまみ（１１０）に取り付けた摺動子（１３０）を駆動し、これによって摺動子（１３０）が摺接するフレキシブル回路基板（５０）上の摺接パターンの電気的出力を変化させる構造のものがあった。
【０００３】
そしてこの回転式電子部品（１）においては、外装ケース（１６０）の開口（１６１）と回転つまみ（１１０）の間の隙間から浸入する液体が摺動子（１３０）及び摺接パターンに付着しないように、摺動子（１３０）及び摺接パターンの周囲に凹部（７３）と凸部（１２１）からなる液体侵入防止機構を設けている。
【先行技術文献】
【特許文献】
【０００４】
【特許文献１】特開２００８−１２３９０４号公報
【発明の概要】
【発明が解決しようとする課題】
【０００５】
しかしながら上記従来の液体侵入防止機構は、摺動子（１３０）及び摺接パターンの周囲の部分だけを防滴しており、外装ケース（１６０）の開口（１６１）と回転つまみ（１１０）の間の隙間は防滴構造になっていない。したがって外装ケース（１６０）の内部には開口（１６１）を通して容易に液体が浸入してしまう。
【０００６】
このため外装ケース（１６０）内部の前記防滴構造となっていない部分には容易に液体が浸入してしまい、腐食や汚れなどの原因となるばかりか、前記外装ケース（１６０）に外部から降りかかる液体の量が多いような場合は、前記開口（１６１）から大量の液体が浸入し、前記液体侵入防止機構を乗り越えて前記摺動子（１３０）などの電気的機能部にまで液体が浸入してしまう恐れもあった。
【０００７】
本発明は上述の点に鑑みてなされたものでありその目的は、電気的に機能する部分及びそれ以外の部分を含めてより確実な防滴が図れ、構造も簡素な回転つまみを有する電子部品の防滴構造を提供することにある。
【課題を解決するための手段】
【０００８】
本願請求項１に記載の発明は、本体ケースに設けた開口から、前記本体ケース内の電子部品を操作する回転つまみの一部を突出させてなる電子部品において、前記本体ケースの前記回転つまみを突出している部分を覆い且つ回転つまみを挿入する開口部を有するゴム状防滴板と、前記ゴム状防滴板を覆うように取り付けられ且つ回転つまみを露出する露出口を有する外ケースと、を具備し、前記ゴム状防滴板の開口部の周囲の部分を回転つまみの本体ケースから突出している部分に接触させることで、本体ケースの開口と回転つまみ間の隙間を防滴することを特徴とする電子部品の防滴構造にある。
【０００９】
本願請求項２に記載の発明は、請求項１に記載の電子部品の防滴構造であって、前記本体ケースの開口の周囲に、前記ゴム状防滴板の開口部の周囲の部分をその裏面側から複数個所で支えて開口部を所定位置に保持する防滴板支持部を設けたことを特徴とする電子部品の防滴構造にある。
【００１０】
本願請求項３に記載の発明は、請求項２に記載の電子部品の防滴構造であって、前記ゴム状防滴板の開口部の周囲の部分の内の前記回転つまみの外周操作面に接触させる部分は、開口部の内周先端辺よりも離れたゴム状防滴板裏面の前記外周操作面に対向する部分であることを特徴とする電子部品の防滴構造にある。
【００１１】
本願請求項４に記載の発明は、請求項１乃至３の内の何れかに記載の電子部品の防滴構造であって、前記本体ケースの開口の上または下の部分に回転つまみの突出方向に向けて突出するように傾斜する傾斜面を設け、この傾斜面に前記ゴム状防滴板の開口部の周囲の部分を当接させて傾斜させ開口部の内周先端辺またはその近傍部分を前記回転つまみの側面に設けた当接部に当接させることを特徴とする電子部品の防滴構造にある。
【発明の効果】
【００１２】
請求項１に記載の発明によれば、ゴム状防滴板によって本体ケースの開口と回転つまみ間の隙間を防滴するので、本体ケース内部への液体の浸入自体が防止でき、本体ケース内の電気的に機能する部分及びそれ以外の部分のすべてを防滴できる。
またゴム状防滴板の開口部の周囲の部分を回転つまみの本体ケースから突出している部分にゴム状弾性を持って接触させることで防滴を図っているので、密閉性が高く、確実な防滴が図れる。
またゴム状防滴板を追加するだけなので、構造が複雑化することもなく、簡素な構造にできる。
【００１３】
請求項２に記載の発明によれば、ゴム状弾性を有するが故に回転つまみの回転などに引きずられてその設置位置が移動し易いゴム状防滴板の開口部を、常に所望の位置に確実に保持しておくことができる。これによってより確実な防滴が図れる。
【００１４】
請求項３に記載の発明によれば、回転つまみを回転した際に、ゴム状防滴板の開口部の内周先端辺が回転つまみの外周操作面に引きずられて本体ケースの内部に引き込まれることを防止でき、かつ外周操作面とゴム状防滴板の裏面とを接触できて密閉性も維持でき、確実な防滴が図れる。
【００１５】
請求項４に記載の発明によれば、回転つまみの側面に設けた当接部に、ゴム状防滴板の開口部の内周先端辺またはその近傍部分を確実に当接させることができ、密閉性が向上し、この部分の防滴効果をより確実なものにすることができる。
【図面の簡単な説明】
【００１６】
【図１】回転式電子部品１の斜視図である。
【図２】回転式電子部品１の分解斜視図である。
【図３】本体ケース１０の斜視図である。
【図４】図１のＡ−Ａ断面図である。
【図５】本体ケース１０にゴム状防滴板６０を取り付けた状態の斜視図である。
【図６】図５のＢ−Ｂ断面における回転つまみ３０と防滴板支持部１３とゴム状防滴板６０の位置関係を示す概略図である。
【図７】回転式電子部品１−２の分解斜視図である。
【図８】本体ケース１０−２にゴム状防滴板６０−２を取り付けた状態の斜視図である。
【発明を実施するための形態】
【００１７】
以下、本発明の実施形態を図面を参照して詳細に説明する。図１は本発明の第１実施形態を用いて構成された電子部品（以下「回転式電子部品」という）１の斜視図、図２はその分解斜視図、図３は本体ケース１０の斜視図、図４は図１のＡ−Ａ断面図である。図２に示すように回転式電子部品１は、電子部品を収納し回転つまみ３０の一部を突出してなる本体ケース１０と、本体ケース１０の回転つまみ３０を突出している部分を覆うゴム状防滴板６０と、ゴム状防滴板６０を覆うようにゴム状防滴板６０に被せて取り付けられる外ケース１００とを具備して構成されている。なお以下の説明において「前方」とは本体ケース１０のゴム状防滴板６０を取り付ける側を向く方向をいい、「後方」とはその反対方向をいうものとする。
【００１８】
図３に示すように本体ケース１０は、合成樹脂を略矩形箱型に成形して構成されており、その一方の側面には略矩形状の開口１１が形成されている。本体ケース１０の開口１１を設けた面の開口１１の周囲の４つの隅部からは、前方に向かって１本ずつ（全部で４本）の防滴板支持部１３が突出している。各防滴板支持部１３は、その先端辺（以下「防滴板保持用先端辺」という）１５が下記するゴム状防滴板６０の開口部７１の周囲の裏面（本体ケース１０側を向く面）に当接する位置にあり（図５参照）、また防滴板支持部１３の外側の側辺（以下「防滴板保持用側辺」という）１７のほぼ中央に略円弧状に凹む凹部１９を設けている（図６参照）。本体ケース１０の開口１１を設けた面の上側２つの防滴板支持部１３のそれぞれ上部と、下側２つの防滴板支持部１３のそれぞれ下部には、前方に向かって突出する防滴板位置決め部２１が設けられている。
【００１９】
本体ケース１０の開口１１上部の前記上側２つの防滴板支持部１３の間の位置には、透光性の合成樹脂からなる導光部２３が設けられている。図３，図４に示すように、導光部２３は略板状であって開口１１上部の本体ケース１０側面から突出した後に下方向にＬ字状に屈曲しており、下方向に屈曲した前面部分に、下向きで前方に向かって傾斜する傾斜面２５を設け、さらにその先端側（下側）の部分を下方向に伸ばしてその前面を光放射部２７としている。また本体ケース１０の開口１１下部には、図４に示すように、前方に向かって突出する突出部２９が設けられ、この突出部２９の先端近傍部分の下面には上向きで前方に向かって傾斜する傾斜面２８が設けられている。なお本体ケース１０は複数の部品を組み立てることで構成されており、導光部２３を構成する部品は透光性を有する合成樹脂材によって構成されているが、他の部品は非透光性の合成樹脂などによって構成されている。また図２などに示すように、本体ケース１０の開口１１を設けた側面のその左右両側の側面には、一対の係止爪２５（図では手前側の一方のみ示す）が形成されている。
【００２０】
回転つまみ３０は合成樹脂を略円板状に成形して構成されており、その外周面を外周操作面３１としている。また図４に示すように回転つまみ３０の上側の側面３３には、前記導光部２３の先端部分を挿入する凹部３５が設けられている。そして凹部３５内に導光部２３の先端部分を挿入することで、凹部３５の内周面３５ａに導光部２３の光放射部２７を対向して位置させている。回転つまみ３０は透明な合成樹脂の成型品であり、その外周操作面３１の表面には非透光性の塗料が塗布されており、その塗料の所定部分に抜き文字などの塗料を塗布しない部分を設け、導光部２３の光放射部２７から回転つまみ３０内に導入された光を前記塗料を塗布しない部分を通して外部に放射するようにしている。回転つまみ３０の上側の側面３３の凹部３５の周囲の部分には上方向に突出するリング状の突出部３７が設けられ、その上端面は平面リング状の当接部３９となっている。回転つまみ３０の下側の側面４１にも下方向に突出するリング状の突出部４３が設けられ、その下端面は平面リング状の当接部４５となっている。回転つまみ３０の下側の側面４１（本体ケース１０の内部に位置する部分）には図示はしないが摺動子が取り付けられており、本体ケース１０内に設置した図示しない回路基板の摺接パターンに当接している。これら摺動子と摺接パターンとによって回転式電子部品１の電気的機能部が構成されている。さらに本体ケース１０内には、図示しない各種電子部品（例えば各種電子部品を搭載した回路基板や、前記導光部２３に光を供給する発光素子など）が収納されている。
【００２１】
ゴム状防滴板６０はゴム状弾性を有する薄板を一方（後方）が解放（開口部６１）された略箱型矩形状に成形して構成されている。ゴム状防滴板６０は中央に前方に向かって突出する略矩形状の突出部６７を有し、突出部６７の周囲の部分を取付部６５としている。突出部６７の先端面６９の中央には、略矩形状（長方形状）の開口部７１が形成されている。開口部７１の上下辺はその中央部分が開口部７１内に向かって突出するように略円弧状に突出しており、突出している部分付近を傾斜面当接部７３，７５としている。また開口部７１の左右両側近傍部分をつまみ操作面防水部７９，７９としている。
【００２２】
外ケース１００は合成樹脂を一方（後方）が解放（開口部１０１）された略箱型矩形状に成形して構成されている。外ケース１００の前方の面には略矩形状に突出する突出部１０１が設けられている。突出部１０１によって形成されるその内側の凹部は、前記ゴム状防滴板６０の突出部６７の外周がぴったり嵌る寸法となっている。また外ケース１００の突出部１０１よりも後側の部分の開口部１０１は、前記ゴム状防滴板６０の取付部６５及び本体ケース１０の外周がぴったり嵌る寸法となっている。突出部１０１の先端面１０３の中央には、略矩形状（長方形状）の露出口１０５が形成されている。露出口１０５の上下部分はその中央部分が前方に向かって突出するように略円弧状に突出している。外ケース１００の露出口１０５を設けた側面のその左右両側の側面には、前記本体ケース１０の各係止爪２５にスナップイン係合する小孔からなる一対の係止孔（図では手前側の一方のみ示す）１０７が形成されている。
【００２３】
そして回転式電子部品１の組み立ては、本体ケース１０の前記回転つまみ３０を突出している部分をゴム状防滴板６０で覆い、図５に示す状態にする。このときゴム状防滴板６０の取付部６５は本体ケース１０の端部の外周部分に被せられる。また開口部７１には回転つまみ３０が挿入される。またゴム状防滴板６０の突出部６７が形成する裏側の凹部の４隅はそれぞれ本体ケース１０の各防滴板位置決め部２１が挿入され、突出部６７の位置が位置決めされる。同時に４本の防滴板支持部１３の各先端の防滴板保持用先端辺１５はゴム状防滴板６０の開口部７１の周囲の裏面側の部分に当接して少し押し上げて支えており、これによって開口部７１を所定位置に保持している。図６は図５のＢ−Ｂ断面における回転つまみ３０と防滴板支持部１３とゴム状防滴板６０との位置関係を示す概略図である。同図に示すようにゴム状防滴板６０の左右両側のつまみ操作面防水部７９，７９の部分は、その上下に位置する防滴板支持部１３の防滴板保持用側辺１７にほぼ密着することで、防滴板保持用側辺１７の形状とほぼ同一形状に変形され、その凹部１９の最も凹んでいる部分に対向するつまみ操作面防水部７９の部分Ｄが回転つまみ３０の外周操作面３１に接触し、一方つまみ操作面防水部７９，７９の内周先端辺７１ａ，７１ａは前記外周操作面３１から少し離れている。言い換えれば、ゴム状防滴板６０の開口部７１の周囲の部分の内の回転つまみ３０の外周操作面３１に接触させる部分は、開口部７１の内周先端辺７１ａよりも離れたゴム状防滴板６０裏面の外周操作面３１に対向する部分である。
【００２４】
そして本体ケース１０に取り付けたゴム状防滴板６０の前部に外ケース１００を被せ、外ケース１００の係止孔１０７に本体ケース１０の係止爪２５をスナップイン係合によって係止すれば、図１に示す回転式電子部品１が完成する。このときゴム状防滴板６０の取付部６５の部分は本体ケース１０と外ケース１００の間に挟持され、回転つまみ３０の一部は外ケース１００の露出口１０５から露出する。なお上記組立手順はその一例であり、他の各種異なる組立手順を用いて組み立てても良いことはいうまでもない。
【００２５】
そして外ケース１００の露出口１０５から露出する回転つまみ３０の外周操作面３１を操作することで回転つまみ３０を回転すれば、回転つまみ３０に取り付けている図示しない摺動子が本体ケース１０内の図示しない回路基板の摺接パターン上を摺動し、その電気的出力が変化する。また本体ケース１０内に設置した図示しない発光素子が発光した光を前記導光部２３に導いて、その光放射部２７から回転つまみ３０内に入射すれば、回転つまみ３０表面の各種抜き文字などが明るく照らし出される。
【００２６】
そしてこの回転式電子部品１においては、本体ケース１０の回転つまみ３０を突出している部分を覆い且つ回転つまみ３０を挿入する開口部７１を有するゴム状防滴板６０の前記開口部７１の周囲の部分を回転つまみ３０の本体ケース１０から突出している部分に接触させることで、本体ケース１０の開口１１と回転つまみ３０間の隙間を防滴しているので、本体ケース１０内部への液体の浸入が防止でき、本体ケース１０内の電気的に機能する部分及びそれ以外の部分のすべてを防滴できる。またゴム状防滴板６０の開口部７１の周囲の部分を回転つまみ３０の本体ケース１０から突出している部分にゴム状弾性を持って接触させることで防滴を図っているので、密閉性が高く、確実な防滴が図れる。またゴム状防滴板６０を追加するだけなので、構造が複雑化することもなく、簡素な構造にできる。
【００２７】
またこの実施形態にかかる回転式電子部品１においては、本体ケース１０の開口１１の周囲に、ゴム状防滴板６０の開口部７１の周囲の部分をその裏面側から複数個所（４か所）で支えて開口部７１を所定位置に保持する防滴板支持部１３を設けたので、ゴム状弾性を有するが故に回転つまみ３０の回転などに引きずられてその設置位置が移動し易いゴム状防滴板６０の開口部７１を、常に所望の位置に確実に保持しておくことができ、より確実な防滴が図れる。
【００２８】
またこの実施形態にかかる回転式電子部品１においては、図６を用いて前述したように、ゴム状防滴板６０の開口部７１の周囲の部分の内の回転つまみ３０の外周操作面３１に接触させる部分を、開口部７１の内周先端辺７１ａよりも離れたゴム状防滴板６０裏面の外周操作面３１に対向する部分としたので、回転つまみ３０を回転した際に、ゴム状防滴板６０の開口部７１の内周先端辺７１ａが回転つまみ３０の外周操作面７９ａに引きずられて本体ケース１０の内部に引き込まれることを防止でき、かつ外周操作面３１とゴム状防滴板６０の裏面とを接触できて密閉性も維持でき、確実な防滴が図れる。
【００２９】
さらにこの実施形態にかかる回転式電子部品１においては、図４に示すように、本体ケース１０の開口１１の上下の部分にそれぞれ回転つまみ３０の突出方向に向けて突出するように傾斜する傾斜面２５，２８を設け、これら傾斜面２５，２８にそれぞれゴム状防滴板６０の傾斜面当接部７３，７５を当接させて傾斜させ、これによってゴム状防滴板６０の開口部７１の内周先端辺７１ａ，７１ａまたはその近傍部分を回転つまみ３０の両側面３３，４１に設けた当接部３９，４５に当接させるように導いている。このように構成することで、回転つまみ３０の両当接部３９，４５にゴム状防滴板６０の内周先端辺７１ａ，７１ａまたはその近傍部分が確実に当接し密閉性が向上し、この部分の防滴効果をより確実なものにすることができる。
【００３０】
図７は本発明の第２実施形態を用いて構成された電子部品（以下「回転式電子部品」という）１−２の分解斜視図、図８は本体ケース１０−２にゴム状防滴板６０−２を取り付けた状態の斜視図である。両図において、前記図１〜図６に示す回転式電子部品１と同一又は相当部分には同一符号を付す（ただし各符号に「−２」を付す）。なお以下で説明する事項以外の事項については、前記図１〜図６に示す第１実施形態と同じである。
【００３１】
この回転式電子部品１−２において前記回転式電子部品１と相違する点は、本体ケース１０−２の開口１１−２の周囲の部分の構造と、ゴム状防滴板６０−２の構造とである。すなわちこの実施形態の本体ケース１０−２において前記本体ケース１０と相違する点は、前記本体ケース１０において設けていた４つの防滴板位置決め部２１を省略した点である。
【００３２】
またこの実施形態のゴム状防滴板６０−２は前記ゴム状防滴板６０と同様に、ゴム状弾性を有する薄板を一方（後方）が解放（開口部６１−２）された略箱型矩形状に成形して構成されている。ゴム状防滴板６０−２において前記ゴム状防滴板６０と相違する点は、ゴム状防滴板６０で設けていた突出部６７をなくし、その面の中央に開口部７１−２を形成した点である。開口部７１−２の形状は横長の略長方形状であり、その上下辺をその中央部分が開口部７１−２内に向かって突出するように略円弧状に突出し、突出している部分付近を傾斜面当接部７３−２，７５−２としている。前記傾斜面当接部７３，７５と相違するのはその突出寸法が大きい点である。また開口部７１−２の左右両側近傍部分をつまみ操作面防水部７９−２，７９−２としている点は前記ゴム状防滴板６０と同じである。
【００３３】
そして回転式電子部品１−２の組み立ては、本体ケース１０−２の回転つまみ３０−２を突出している部分をゴム状防滴板６０−２で覆い、図８に示す状態にする。このときゴム状防滴板６０−２の取付部６５−２は本体ケース１０−２の端部の外周部分に被せられる。また開口部７１−２には回転つまみ３０−２が挿入され、同時にゴム状防滴板６０−２の開口部７１−２の周囲の裏面側の部分には４本の防滴板支持部１３−２の各先端の防滴板保持用先端辺１５−２が当接してこのゴム状防滴板６０−２の開口部７１−２の周囲の部分を大きく前方に押し上げて突出するように変形し、これによって開口部７１−２を所定位置に保持している。
【００３４】
そして前記ゴム状防滴板６０−２の前部に外ケース１００−２を被せ、外ケース１００−２の係止孔１０７−２に本体ケース１０−２の係止爪２５−２をスナップイン係合によって係止すれば、図１に示す形状と同じ形状の回転式電子部品１−２が完成する。このときゴム状防滴板６０−２の取付部６５−２の部分は本体ケース１０−２と外ケース１００−２の間に挟持され、回転つまみ３０−２の一部は外ケース１００−２の露出口１０５−２から露出する。なお回転式電子部品１−２の操作方法は回転式電子部品１と同一なので、その説明は省略する。
【００３５】
そしてこの回転式電子部品１−２においても、本体ケース１０−２の回転つまみ３０−２を突出している部分を覆い且つ回転つまみ３０−２を挿入する開口部７１−２を有するゴム状防滴板６０−２の前記開口部７１−２の周囲の部分を回転つまみ３０−２の本体ケース１０−２から突出している部分に接触させることで、本体ケース１０−２の開口１１−２と回転つまみ３０−２間の隙間を防滴しているので、本体ケース１０−２内部への液体の浸入が防止でき、本体ケース１０−２内の電気的に機能する部分及びそれ以外の部分の全てを防滴できる。またゴム状防滴板６０−２の開口部７１−２の周囲の部分を回転つまみ３０−２の本体ケース１０−２から突出している部分にゴム状弾性を持って接触させることで防滴を図っているので、密閉性が高く、確実な防滴が図れる。またゴム状防滴板６０−２を追加するだけなので、構造が複雑化することもなく、簡素な構造にできる。
【００３６】
またこの実施形態にかかる回転式電子部品１−２においても、本体ケース１０−２の開口１１−２の周囲に、ゴム状防滴板６０−２の開口部７１−２の周囲の部分をその裏面側から複数個所（４か所）で支えて開口部７１−２を所定位置に保持する防滴板支持部１３−２を設けたので、ゴム状弾性を有するが故に回転つまみ３０−２の回転などに引きずられてその設置位置が移動し易いゴム状防滴板６０−２の開口部７１−２を、常に所望の位置に確実に保持しておくことができ、より確実な防滴が図れる。
【００３７】
そして前記図６を用いて説明したのと同様に、ゴム状防滴板６０−２の左右両側のつまみ操作面防水部７９−２，７９−２の部分は、その上下に位置する防滴板支持部１３−２の防滴板保持用側辺１７−２にほぼ密着することで防滴板保持用側辺１７−２の形状とほぼ同一形状に変形され、開口部７１−２の内周先端辺７１−２ａよりも離れたゴム状防滴板６０−２の外周操作面３１−２に対向する部分が回転つまみ３０−２の外周操作面３１−２に接触する。これによって、回転つまみ３０−２を回転した際に、ゴム状防滴板６０−２の開口部７１−２の内周先端辺７１−２ａが回転つまみ３０−２の外周操作面３１−２に引きずられて本体ケース１０−２の内部に引き込まれることを防止でき、かつ外周操作面３１−２とゴム状防滴板６０−２とを接触できて密閉性も維持でき、確実な防滴が図れる。
【００３８】
さらに前記図４を用いて説明したのと同様に、本体ケース１０−２の開口１１−２の上下の部分に傾斜面２５−２，２８−２（傾斜面２８−２は図示せず）を設け、これら傾斜面２５−２，２８−２にそれぞれゴム状防滴板６０−２の傾斜面当接部７３−２，７５−２を当接させて傾斜させ、これによってゴム状防滴板６０−２の開口部７１−２の内周先端辺７１−２ａ，７１−２ａまたはその近傍部分を回転つまみ３０−２の当接部３９−２，４５−２（当接部４５−２は図示せず）に当接している。これによって、当接させた部分の密閉性が向上し、この部分の防滴効果がより確実なものになっている。
【００３９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記各実施形態では本発明を回転式電子部品１（１−２）に適用した例を示したが、他の各種回転つまみを有する電子部品に適用してもよい。
【００４０】
また上記回転式電子部品１（１−２）においては、本体ケース１０に防滴板支持部１３を４本設けたが、４本以外の複数本でもよく、場合によっては防滴板支持部１３は省略してもよい。また防滴板支持部１３によってゴム状防滴板６０の開口部７１の内周先端辺７１ａよりも離れたゴム状防滴板６０裏面の外周操作面３１に対向する部分を回転つまみ３０の外周操作面３１に接触させているが、場合によっては内周先端辺７１ａを外周操作面３１に接触させてもよい。また上記回転式電子部品１（１−２）においては、本体ケース１０の開口１１の上下の部分に傾斜面２５，２８を設けたが、上下いずれか一方の部分だけに傾斜面２５または２８を設けてもよい。
【符号の説明】
【００４１】
１  回転式電子部品（電子部品）
１０  本体ケース
１１  開口
１３  防滴板支持部
２５，２８  傾斜面
３０  回転つまみ
３１  外周操作面
３３，４１  側面
３９，４５  当接部
６０  ゴム状防滴板
７１  開口部
７１ａ  内周先端辺
１００  外ケース
１０５  露出口
【図１】
2011134573.tif 000003
【図２】
2011134573.tif 000004
【図３】
2011134573.tif 000005
【図４】
2011134573.tif 000006
【図５】
2011134573.tif 000007
【図６】
2011134573.tif 000008
【図７】
2011134573.tif 000009
【図８】
2011134573.tif 000010